(57)【要約】【課題】コリドー機能によってディスクからメモリに格納された地図データのメモリ使用量及びその状況、ディスクの入れ替え時期を視覚的に訴えること。【解決手段】プレーヤ６から書き込まれた所定容量の経路地図メモリ１６に格納された所定容量の地図データによって、所定の探索されたルートに従ってルート案内される。この間、オーディオ機能によって音楽等を楽しむことができる。また、総合書き込み容量計算部８２で計算された計算値に到達するまでを、表示部８６の表示で確認できるから、所定の書き込み容量になったとき、ナビゲーション機能がなくなる以前に、最寄りのサービスエリア、パーキングエリア等の駐停車可能地域で再書き込みを行うことができる。この総合記憶容量計算部８１と総合書き込み容量計算部８２で計算された値で、目的地までの距離及びそれまで走行してきた距離との関係で、再書き込みのタイミングを得ることができる。【選択図】図１
2010107469.tif 000002
【特許請求の範囲】
【請求項１】
地図記憶媒体から地図データを含むコンテンツの読み出しを行うプレーヤと、
ルート案内に使用される前記地図データを書き込むための経路地図メモリと、
前記地図データに基づいて目的地までのルートを探索するルート探索部と、
前記プレーヤから読み出された前記地図データに基づいて前記目的地までのルート案内に使用される地図データを抽出し、前記ルート案内に使用される地図データの総合記憶容量を前記地図データに基づいて計算する総合記憶容量計算部と、
前記ルート案内に使用される地図データのうち前記経路地図メモリに書き込まれたデータ量の和を総合書き込み容量として計算する総合書き込み容量計算部と、
前記総合記憶容量計算部で計算された総合記憶容量と前記総合書き込み容量計算部で計算された前記経路地図メモリに書き込まれた総合書き込み容量とを表示する表示部
を具備することを特徴とするナビゲーション装置。
【請求項２】
前記表示部では、前記総合記憶容量計算部と前記総合書き込み容量計算部で計算された値を
[総合書き込み容量／総合記憶容量]
と比率で表現することを特徴とする請求項１に記載のナビゲーション装置。
【請求項３】
地図記憶媒体から地図データを含むコンテンツの読み出しを行うプレーヤと、
ルート案内に使用される前記地図データを書き込むための経路地図メモリと、
前記地図データに基づいて目的地までのルートを探索するルート探索部と、
前記プレーヤから読み出された前記地図データに基づいて前記目的地までの前記ルート案内に使用される地図データのうち前記経路地図メモリに書き込み毎の地図データの書き込み容量を計算する書き込み容量計算部と、
前記書き込み容量計算部で得た値から現在までに走行してきたデータ量を減算して残り容量を計算する残り容量計算部と、
前記書き込み容量計算部で計算された書き込み容量と前記残り容量計算部で計算された前記残り容量とを表示する表示部
を具備することを特徴とするナビゲーション装置。
【請求項４】
前記表示部では、前記書き込み容量計算部と前記残り容量計算部で計算された値を
[残り容量／書き込み容量]
と比率で表現することを特徴とする請求項３に記載のナビゲーション装置。
【請求項５】
地図記憶媒体から地図データを含むコンテンツの読み出しを行うプレーヤと、
ルート案内に使用される前記地図データを書き込むための経路地図メモリと、
前記地図データに基づいて目的地までのルートを探索するルート探索部と、
前記プレーヤから読み出された前記地図データに基づいて前記目的地までのルート案内に使用される地図データを抽出し、前記ルート案内に使用される地図データの総合記憶容量を地図データに基づいて計算する総合記憶容量計算部と、
前記ルート案内に使用される地図データのうち前記経路地図メモリに書き込まれたデータ量の和を総合書き込み容量として計算する総合書き込み容量計算部と、
前記ルート案内に使用される地図データのうち前記経路地図メモリに書き込み毎の前記地図データの書き込み容量を計算する書き込み容量計算部と、
前記書き込み容量計算部で得た値から現在までに走行してきたデータ量を減算して残り容量を計算する残り容量計算部と、
前記総合記憶容量計算部で計算された総合記憶容量と前記総合書き込み容量計算部で計算された総合書き込み容量と書き込み容量計算部で計算された書き込み容量と残り容量計算部で計算された残り容量とを表示する表示部
を具備することを特徴とするナビゲーション装置。
【請求項６】
前記表示部では、前記書き込み容量計算部と前記残り容量計算部で計算された値を
[残り容量／書き込み容量]
並びに、前記総合記憶容量計算部と前記総合書き込み容量計算部で計算された値を
[総合書き込み容量／総合記憶容量]
との比率で表現することを特徴とする請求項５に記載のナビゲーション装置。
【請求項７】
前記残り容量計算部で計算された残り容量が、所定の閾値以下になったとき、前記表示部の表示を点滅及び／または報知音を発生させることを特徴とする請求項３乃至請求項６の何れか１つに記載のナビゲーション装置。
【請求項８】
前記総合記憶容量計算部、前記総合書き込み容量計算部、前記書き込み容量計算部、前記残り容量計算部は、その何れか１つ以上を距離を基準とした総合距離計算部、書き込み距離計算部、書き込み距離計算部、残り距離計算部として置き換えたことを特徴とする請求項１乃至請求項７の何れか１つに記載のナビゲーション装置。
【発明の詳細な説明】
【技術分野】
【０００１】
本発明は、コンテンツ（データ）読み出し装置としてのＣＤ−ＲＯＭまたはＤＶＤ−ＲＯＭプレーヤをナビゲーション用とオーディオ用とに兼用する方式のナビゲーション装置に関するもので、事前に地図データを読み出してメモリに記憶しておくことによりナビゲーション機能を使用可能とし、かつ、同時に、オーディオコンテンツを再生可能とすることにより、オーディオ機能とナビゲーション機能とを両立させるコリドー機能を搭載したナビゲーション装置に関するものである。
【背景技術】
【０００２】
従来のナビゲーション装置としては、先行技術に特許文献１及び特許文献２がある。
特許文献１は、地図データを記憶した地図メモリとオーディオデータを記憶したオーディオメモリの共通のドライブで利用し、地図メモリから地図データを読出して道路地図を作成すると共に、走行方位及び走行距離に基づいて車両位置を検出して、前記車両位置と前記道路地図とをディスプレイに表示させ、運転者による目的地の入力に応じて現在地から目的地に至る推奨経路を検索して地図上に表示する経路誘導装置において、前記地図メモリ及びオーディオメモリの何れをもドライブできるメモリドライブと、前記メモリドライブによって地図メモリから読出された地図データを記憶する経路地図メモリと、前記地図データのうち、推奨経路に沿った部分の地図データを前記経路地図メモリに格納し、前記経路地図メモリに格納された地図データを車両位置とともにディスプレイに表示させ、かつ、前記経路地図メモリに地図データが格納された後は前記メモリドライブに対してオーディオメモリの読出しを指示するコントローラとを具備するものである。
【０００３】
特許文献１のナビゲーション装置は、推奨経路または推奨経路に沿った部分の地図データをメモリに記憶させた後、メモリドライブがオーディオメモリからオーディオデータを読出すことができるように制御されるので、経路誘導と音声等の提供とを同時に行うことができる他、メモリに記憶すべき地図データは推奨経路または推奨経路に沿った部分の地図データのみなので、全ての地図データをメモリに記憶していた従来技術に比べて、地図データの読取時間の短縮化を図れるとともに、メモリの小容量化を図れる。そのため、コストの低減化を図れる。しかも、経路地図メモリに推奨経路に沿った部分の地図データのみが格納されるため、マップマッチング航法の実施および地図データの表示にあたり、経路地図メモリのメモリ量が少なくて済む利点を有する。また、一台のメモリドライブで地図メモリ、及びオーディオメモリをドライブすることができるので、コストの低減化、車両内のスペースの確保ができ、更に、地図メモリとオーディオメモリとを別個にしているので、市販のオーディオメモリを使用することができるものである。
【０００４】
また、特許文献２には、現在地から目的地までの推奨経路を探索して表示する機能と、地図データの一部を切出してコリドー用メモリに取込み、この取込んだ地図データに基づいて地図表示を実行するコリドー機能とを備え、前記地図データの一部を切出す場合に、前記推奨経路が通過する領域に対応する地図データを切出すようにし、現在地と目的地との間の距離に応じて、前記推奨経路が通過する領域の広さを拡大し、この拡大した領域に対応する地図データを切出すナビゲーション装置が開示されている。
この特許文献２のナビゲーション装置によれば、現在地と目的地との間の距離に応じて、推奨経路が通過する領域の広さを拡大し、この拡大した領域に対応する地図データを切出すので、コリドー用メモリの容量の制限があっても、地図表示機能をできるだけ制限しないようにできるものである。
【特許文献１】特開平２−１５１７１５号公報
【特許文献２】特開２００５−２０２９６９公報
【発明の開示】
【発明が解決しようとする課題】
【０００５】
しかし、特許文献１の技術は、ＣＤ−ＲＯＭプレーヤをナビゲーション用とオーディオ用とに兼用する方式のナビゲーション装置として、特定の地域の地図全体を格納する方式に比較し、メモリの小容量化、書き込み時間の短縮、装置のコストの低減、車両内のスペースの確保ができるものの、遠隔地に目的地を設定するとなると、膨大な量の地図データをメモリに記憶する必要が生じ、特定されたメモリ容量を超えると、遠い目的地までの経路を設定した場合、目的地までの案内の途中で地図データのディスクを再度挿入して、追加で地図データを読み込ませる必要があった。
そこで、特許文献２ではＣＤ−ＲＯＭプレーヤで地図データを読み込む場合、前記推奨経路が通過する領域に対応する地図データを読み込み、現在地と目的地との間の距離に応じて推奨経路が通過する領域の広さを拡大し、この拡大した領域に対応する地図データをメモリする技術が開示されており、如何なる遠隔地でも目的地経路の全体を設定可能としたものである。しかし、この場合には、高速道路等の分かりやすい道路であればよいが、一般道を走行する場合には、ナビゲーションとしての機能が低下することになる。
このようにナビゲーションとしての機能の低下を防止するため、所定の拡大率でメモリに格納し、そのメモリの格納している地図データの量がなくなったとき、音声と表示で地図データのディスクの挿入を促す方法が考えられる。
しかしながら、この方法ではユーザは何処で地図データのディスクを挿入すればいいのか、その残量が減ってからでないと分からないため、サービスエリアで休憩の直後、高速道路走行中に地図データのディスクの入れ替えを行う必要性が出てくる可能性がある。勿論、街中の入り組んだ道路で地図データのディスクの入れ替えを行う必要性が出てくる可能性もある。
【０００６】
そこで、この発明はかかる不具合を解決するためになされたもので、コリドー機能によってディスクからメモリに格納された地図データのメモリ使用量及びその状況、ディスクの入れ替え時期を視覚的に訴えることができる車載ナビゲーション装置の提供を目的とするものである。
【課題を解決するための手段】
【０００７】
請求項１にかかる車載ナビゲーション装置は、地図記憶媒体から地図データを含むコンテンツの読み出しを行うプレーヤから読み出された地図データに基づいて、前記目的地までのルート案内に使用される地図データを抽出し、前記ルート案内に使用される地図データの総合記憶容量を前記地図データに基づいて計算する総合記憶容量計算部と、前記ルート案内に使用される前記地図データのうち、ルート案内に使用される前記地図データを書き込むための経路地図メモリに書き込まれたデータ量の和を総合書き込み容量として計算する総合書き込み容量計算部とを具備し、前記総合記憶容量計算部で計算された総合記憶容量と前記総合書き込み容量計算部で計算された前記経路地図メモリに書き込まれた総合書き込み容量と表示部で表示するものである。
ここで、上記総合記憶容量計算部は、車両の出発地から目的地に至る間のルート案内に必要な経路の地図データの総合記憶容量を計算するもので、地図データを書き込む所定容量の経路地図メモリとは無関係に、車両の出発地から目的地に至る間のルート案内に必要な経路の地図データの総合記憶容量を計算するものである。
また、上記所定容量の経路地図メモリは、通常、ドライブ等で日帰りのコースとして選択される距離、例えば、５０Ｋｍ、１００Ｋｍ、２００Ｋｍ等の目的地に沿った地図データを格納自在なメモリであり、１００Ｋｍ以上とすることもできるが、メモリの価格及びその書き込み速度からして、１００〜１５０Ｋｍ程度に設定されるものである。
そして、上記総合書き込み容量計算部は、前記経路地図メモリに書き込み済の地図データ量の積算を計算するもので、前記経路地図メモリが所定の容量であることが予め判別できるから、経路地図メモリの全容量に書き込みを行った場合には、経路地図メモリの容量を基に書き込み容量を算出することができる。全メモリに書き込みを行っていない場合には、その率を計算するものである。
更に、上記表示部は、前記総合記憶容量計算部と前記総合書き込み容量計算部で計算された値を表示するものであり、そのまま、数値またはグラフで表現してもよいし、メモリエリアを図示し、そこに何パーセント格納されているかを示してもよい。また、総合書き込み容量計算部の値（総合書き込み容量）／総合記憶容量計算部の値（総合記憶容量）としてその割合で表現してもよい。逆に、総合記憶容量計算部の値（総合記憶容量）／総合書き込み容量計算部の値（総合書き込み容量）として、何回の書き換えが必要かを表現してもよい。
【０００８】
請求項２にかかる車載ナビゲーション装置の前記表示部では、前記総合記憶容量計算部の値と前記総合書き込み容量計算部で計算された値を、[総合書き込み容量計算部の値（総合書き込み容量）／総合記憶容量計算部の値（総合記憶容量）]と比率で表現するものである。ここで、[総合書き込み容量計算部の値（総合書き込み容量）／総合記憶容量計算部の値（総合記憶容量）]の計算値は、本来の目的地に到着するまでに何回地図データを書き込む必要があるかを示すものであるから、再書き込みの回数を表現するものである。
【０００９】
請求項３にかかる車載ナビゲーション装置は、コンテンツの読み出しを行うプレーヤから読み出された地図データのうちルート案内に使用される前記地図データを書き込むための経路地図メモリに、書き込み毎の前記地図データの書き込み容量を計算する書き込み容量計算部と、前記書き込み容量計算部で得た書き込み容量から現在までに走行してきたデータ量を減算して残り容量を計算する残り容量計算部とを具備し、前記書き込み容量計算部で計算された書き込み容量と前記残り容量計算部で計算された前記残り容量とを表示部で表示するものである。
ここで、上記書き込み容量計算部は、前記経路地図メモリに書き込んだ車両の出発地から目的地に向かった所定容量の地図データ量を計算するものであり、経路地図メモリに格納された地図データに基づき選択されたルートに従ってそのデータ量を算出するものである。
また、上記残り容量計算部は、書き込み容量計算部で得た値から現在までに走行してきた距離のデータ量を減算するもので、再書き込みのタイミングの指標とするものである。
そして、上記表示部は、前記書き込み容量計算部と前記残り容量計算部で計算された値を表示するものであり、そのまま、数値で表現してもよいし、前記書き込み容量計算部のデータ量を図示し、そこに何パーセント走行したかを示してもよい。また、残り容量計算部の値（残り容量）／書き込み容量計算部の値（書き込み容量）としてその割合で表現してもよい。なお、書き込み容量計算部の値から残り容量計算部の値を減算し、今までの走行を同時表現することが望ましい。
【００１０】
請求項４にかかる車載ナビゲーション装置の前記表示部では、前記書き込み容量計算部と前記残り容量計算部で計算された値を、[残り容量計算部の値（残り容量）／書き込み容量計算部の値（書き込み容量）]と比率で表現するものである。
ここで、[残り容量計算部の値（残り容量）／書き込み容量計算部の値（書き込み容量）]は、書き込みを行った地図データの使用量から残りのデータ量を特定するものであり、所定の書き込み量であっても、その書き込み量からその使用量を計算するものである。
【００１１】
請求項５にかかる車載ナビゲーション装置は、地図記憶媒体から地図データを含むコンテンツの読み出しを行うプレーヤから読み出された前記地図データに基づいて、目的地までのルート案内に使用される前記地図データを抽出し、前記ルート案内に使用される前記地図データの総合記憶容量を前記地図データに基づいて計算する総合記憶容量計算部と、前記ルート案内に使用される前記地図データのうち前記経路地図メモリに書き込まれたデータ量の和を総合書き込み容量として計算する総合書き込み容量計算部と、前記ルート案内に使用される前記地図データのうち前記経路地図メモリに書き込み毎の前記地図データの書き込み容量を計算する書き込み容量計算部と、前記書き込み容量計算部で得た値から現在までに走行してきた残り容量を減算する残り容量計算部と、前記総合記憶容量と前記総合書き込み容量と書き込み容量と残り容量とを表示部で表示するものである。
ここで、上記総合記憶容量計算部は、車両の出発地から目的地に至る間のルート案内に必要な地図データの総合記憶容量を計算するもので、地図データを書き込む所定容量の経路地図メモリとは無関係に、車両の出発地から目的地に至る間のルート案内に必要な経路の地図データの総合記憶容量を計算するものである。
また、上記所定容量の経路地図メモリは、通常、ドライブ等で日帰りのコースとして選択される距離、メモリの価格、書き込み速度からメモリ容量が設定される。
そして、上記総合書き込み容量計算部は、前記経路地図メモリに書き込み済の前記地図データのデータ量を計算するもので、前記経路地図メモリが所定の容量であることが予め判別できるから、全経路地図メモリに書き込みを行った場合には、経路地図メモリの容量を書き込み容量とすることができる。全経路地図メモリに書き込みを行っていない場合には、その比率を計算するものである。
更に、上記書き込み容量計算部は、前記経路地図メモリに書き込んだ車両の出発地から目的地に向かった所定容量の地図データ量を計算するものであり、経路地図メモリに格納された地図データに基づき、選択されたルートに従ってそのデータ量を算出するものである。
更にまた、上記残り容量計算部は、書き込み容量計算部で得た値から現在までに走行してきた距離に相当するデータ容量を減算するもので、再書き込みのタイミングの指標とするものである。
【００１２】
請求項６にかかる車載ナビゲーション装置の前記表示部では、前記書き込み容量計算部と前記残り容量計算部で計算された値を[残り容量計算部の値（残り容量）／書き込み容量計算部の値（書き込み容量）]として、並びに、前記総合記憶容量計算部と前記総合書き込み容量計算部で計算された値を[総合書き込み容量計算部の値（総合書き込み容量）／総合記憶容量計算部の値（総合記憶容量）]として、比率で表現するものである。ここで、[残り容量計算部の値（残り容量）／書き込み容量計算部の値（書き込み容量）]の計算は、再書き込みを行わないで走行できる距離に相当するデータ量を表し、[総合書き込み容量計算部の値（総合書き込み容量）／総合記憶容量計算部の値（総合記憶容量）]の計算は、最終目的地までの繰り返し書き込み回数を表現するものであるから、後者は、整数回を選択し、小数点以下を切り捨てることもできる。
【００１３】
請求項７にかかる車載ナビゲーション装置の前記残り容量計算部で計算された値は、所定の閾値以下になったとき、前記表示部の表示を点滅及び／または報知音を発生させるものである。
ここで、前記表示部の表示を点滅とは、所定の点滅周期、所定の明るさの点滅周期、所定の色彩の点滅周期とすることができる。報知音の発生についても、発生間隔または発生出力の大きさを任意の間隔とすることができる。特に、点滅周期は、前記残り容量計算部で計算された値が小さくなると点滅周期が短くなるようにするのが望ましい。
【００１４】
請求項８にかかる車載ナビゲーション装置の前記総合記憶容量計算部、前記総合書き込み容量計算部、前記書き込み容量計算部、前記残り容量計算部は、メモリ容量を基準とするものであるが、その何れか１つ以上を距離基準とした総合距離計算部、書き込み距離計算部、書き込み距離計算部、残り距離計算部として置き換えても、実質的に同じ発明となる。
なお、本発明を実施する場合には、総合書き込み容量計算部の値（総合書き込み容量）／総合記憶容量計算部の値（総合記憶容量）を、再書き込みの機会の判断として使用するものであるが、請求項８の発明では距離基準にすることができる。即ち、前記総合記憶容量計算部、前記総合書き込み容量計算部、前記書き込み容量計算部、前記残り容量計算部の何れか１以上を距離基準とすることができる。
【発明の効果】
【００１５】
請求項１にかかる車載ナビゲーション装置は、車両の出発地から目的地に至る間のルート案内に必要な地図データの総合記憶容量をナビゲーション用と前記オーディオ用とを兼用するプレーヤから書き込み、そのデータ量を総合記憶容量計算部で計算し、また、前記プレーヤから所定容量の経路地図メモリに書き込んだ地図データ量を総合書き込み容量計算部で計算する。そして、前記総合記憶容量計算部と前記総合書き込み容量計算部で計算された値を表示部で表示するものである。
したがって、前記プレーヤから書き込まれた所定容量の経路地図メモリに格納された所定容量の地図データによって、所定の探索されたルートに従ってルート案内される。その間、オーディオ機能によって、音楽等を楽しむことができる。この間に、前記総合書き込み容量計算部で計算された計算値に到達するまでを、表示部の表示で確認できるから、所定の前記書き込み容量になったとき、ナビゲーション機能がなくなる以前に、最寄りのサービスエリア、パーキングエリア等の駐停車可能地域で再書き込みを行うことができる。この総合記憶容量計算部と総合書き込み容量計算部で計算された値でも、目的地までのデータ量に対応する距離及びそれまで走行してきたデータ量に対応する距離との関係で、再書き込みのタイミングを得ることができる。更に、駐車時間、駐車場所に応じて、停車している時間が短い場合には、必要最小限の書き込みを行い、駐車時間、駐車場所を選択してその補充を行うことができる。また、表示部の表示状態から休息場所を選択することもできる。
よって、コリドー機能によってディスクからメモリに格納された地図データのメモリ使用量及びその状況、ディスクの入れ替え時期を視覚的、聴覚的にも報知できる。
【００１６】
請求項２にかかる車載ナビゲーション装置の前記表示部は、前記総合記憶容量計算部と前記総合書き込み容量計算部で計算された値を[総合書き込み容量／総合記憶容量]との比率で表現するものであるから、請求項１に記載の効果に加えて、最終目的地に到達するまでに、何回再書き込みを行えばよいかが判断され、ユーザはその再書き込みの回数及びタイミングを認識することにより、最寄りのサービスエリア、パーキングエリア等の駐停車可能地域に入ることができる。
【００１７】
請求項３にかかる車載ナビゲーション装置は、車両の出発地から目的地に向かった地図データを所定容量の経路地図メモリに書き込み、前記地図データ量を書き込み容量計算部で計算し、ナビゲーション用とオーディオ用とを兼用するプレーヤから書き込んだ地図データを所定容量の経路地図メモリに書き込んだ後、前記書き込み容量計算部で得た値から現在までに走行してきた距離に相当するデータ量を残り容量計算部で減算する。そして、前記書き込み容量計算部と前記残り容量計算部で計算された値を表示部で表示するものである。
したがって、プレーヤから地図データが書き込まれた所定容量の経路地図メモリの地図データによって、所定の探索されたルートに従ってルート案内され、また、オーディオ機能によって、音楽等を楽しむことができる。この間に、前記残り容量計算部で計算された値を表示部の表示で確認でき、ナビゲーション機能が停止になる以前の所定の前記残り容量計算部で計算したデータ量になったとき、最寄りのサービスエリア、パーキングエリア等の駐停車可能地域に入ることができる。この書き込み容量計算部と残り容量計算部で計算された値によって、これからの再書き込みを行うタイミングが正確に判断される。更に、駐車時間、駐車場所に応じて、停車している時間が短い場合には、必要最小限の書き込みを行い、駐車時間、駐車場所を選択してその補充を行うことができる。また、表示部の表示状態から休息場所を選択することもできる。
よって、コリドー機能によってディスクからメモリに格納された地図データのメモリ使用量及びその状況、ディスクの入れ替え時期を視覚的、聴覚的にも報知できる。
【００１８】
請求項４にかかる車載ナビゲーション装置の前記表示部では、前記書き込み容量計算部と前記残り容量計算部で計算された値を[残り容量／書き込み容量]という比率で表現するものであるから、請求項３の効果に加えて、前回の書き込みから再書き込みを行う地点に到達するまでに、どのくらいの走行距離があるかをデータ量の関係で表示し、ユーザはその再書き込みのタイミングを認識することができる。
【００１９】
請求項５にかかる車載ナビゲーション装置は、車両の出発地から目的地に至る間のルート案内に必要な地図データの総合記憶容量を総合記憶容量計算部で計算し、ナビゲーション用とオーディオ用とを兼用するプレーヤから経路地図メモリに地図データ量を書き込み、それを総合書き込み容量計算部で計算する。そして、前記総合記憶容量計算部と前記総合書き込み容量計算部で計算された値を表示部で表示するものである。更に、車両の出発地から目的地に向かった所定容量の経路地図メモリに書き込んだ地図データのデータ量を書き込み容量計算部で計算し、前記プレーヤから地図データを所定容量の経路地図メモリに書き込んだ後、前記書き込み容量計算部で得た値から現在までに走行してきたデータ量を残り容量計算部で減算する。そして、前記書き込み容量計算部と前記残り容量計算部で計算された値も表示部で表示するものである。
したがって、前記プレーヤから書き込んだ地図データを書き込む所定容量の経路地図メモリに格納された地図データによって、所定の探索されたルートに従ってルート案内される。その間、オーディオ機能によって、音楽等を楽しむことができる。この間に、前記残り容量計算部で計算された値が所定の前記書き込み容量計算部で計算したデータ量に到達するまでを、表示部の表示で確認できるから、所定の前記残り容量計算部の値になったとき、ナビゲーション機能を維持すべく、最寄りのサービスエリア、パーキングエリア等の駐停車可能地域に入ることができる。この総合記憶容量計算部と総合書き込み容量計算部で計算された値及び書き込み容量計算部と残り容量計算部で計算された値によって、これからの書き込み回数、再書き込みを行うタイミングが正確に判断される。更に、駐車時間、駐車場所に応じて、停車している時間が短い場合には、必要最小限の書き込みを行い、駐車時間、駐車場所を選択してその補充を行うことができる。また、表示部の表示状態から休息場所を選択することもできる。
よって、コリドー機能によってディスクからメモリに格納された地図データのメモリ使用量及びその状況、ディスクの入れ替え時期を視覚的、聴覚的にも報知できる。
特に、総合記憶容量計算部と総合書き込み容量計算部で計算された値によって再書き込みの回数が明確になり、また、書き込み容量計算部と残り容量計算部で計算された値によって、再書き込みの時期が明確になり、ユーザが運転に余裕を持った対応となる。
【００２０】
請求項６にかかる車載ナビゲーション装置の前記表示部では、前記書き込み容量計算部と前記残り容量計算部で計算された値を[残り容量／書き込み容量]、並びに、前記総合記憶容量計算部と前記総合書き込み容量計算部で計算された値を[総合書き込み容量／総合記憶容量]と比率で表現するものである。
したがって、請求項５に記載の効果に加えて、最終目的地に到達するまでに、何回再書き込みを行えばよいかが判断され、ユーザはその再書き込みの回数を認識することにより最寄りのサービスエリア、パーキングエリア等の駐停車可能地域に入ることができ、再書き込みの準備ができる。また、前回の書き込みから再書き込みを行う地点に到達するまでに、どのくらいの走行距離があるかを表示し、ユーザはその再書き込みのタイミングを認識することができる。
【００２１】
請求項７にかかる車載ナビゲーション装置の前記残り容量計算部で計算された計算値は、所定の値のとき、前記表示部の表示を点滅及び／または報知音を発生させることができ、書き込み予告を行うことができるものであるから、請求項３乃至請求項６の何れか１つに記載の効果に加えて、前記表示部の表示に情報を付与しておけば、再書き込みのタイミングに応じて、最寄りのサービスエリア、パーキングエリア等の駐停車可能地域に入ることができる。
【００２２】
請求項８にかかる車載ナビゲーション装置の前記総合記憶容量計算部、前記総合書き込み容量計算部、前記残り容量計算部、前記書き込み容量計算部は、その何れか１つ以上を距離基準とした総合距離計算部、書き込み距離計算部、残り距離計算部、書き込み距離計算部として置き換えるものであるから、請求項１乃至請求項７の何れか１つに記載の効果に加えて、距離情報という身近な情報で再書き込みのタイミングを取得し、最寄りのサービスエリア、パーキングエリア等の駐停車可能地域に入ることができる。
【発明を実施するための最良の形態】
【００２３】
以下、本発明の実施の形態について、図面に基づいて説明する。なお、実施の形態において、図中、実施の形態の同一記号及び同一符号は、同一または相当する機能部分であるから、ここでは重複する説明を省略する。
【００２４】
[実施の形態１]
図１は本発明の実施の形態１にかかる車載ナビゲーション装置を機能表現した全体構成を示すブロック図で、図２は本発明の実施の形態１にかかる車載ナビゲーション装置のディスプレイによる表示状態を示す説明図である。また、図３は本発明の実施の形態１にかかる車載ナビゲーション装置のコリドー機能による地図データの書き込みのフローチャートで、図４は本発明の実施の形態１にかかる車載ナビゲーション装置のコリドー機能によって走行中のフローチャートであり、図５は本発明の実施の形態１にかかる車載ナビゲーション装置のコリドー機能による再書き込みのフローチャートである。そして、図６は本発明の実施の形態１にかかる車載ナビゲーション装置の地図データの書き込みを説明する概念図、図７は本発明の実施の形態１にかかる車載ナビゲーション装置のコリドー機能で走行状態を説明する概念図、図８は本発明の実施の形態１にかかる車載ナビゲーション装置の再書き込みを説明する概念図である。
【００２５】
図１において、本実施の形態１の車載ナビゲーション装置は、入力された情報に基づいて、各種の演算処理を行うマイクロプロセッサからなる演算・制御部１と、ドライバ等の操作者（ユーザ）からの操作を受け付ける各種キー入力、音声入力、タッチスイッチ等の操作部２と、操作者に対して操作情報、地図等の情報、地図データの書き込み情報等を表示する液晶からなるディスプレイ３と、ルート案内に関する音声ガイダンスを行うスピーカ４を有している。なお、操作部２には、コリドー機能キー、地図ディスクの書き込みを行う書き込みキーを有している。また、操作部２としては、キーボード、マウス、バーコードリーダ、遠隔操作用のリモートコントロール装置等を使用することもできる。更に、ディスプレイ３の前面に設けたタッチパネルによって構成することもできる。プレーヤ６は、ナビゲーション用とオーディオ用とを兼用するものであり、地図データのＣＤ−ＲＯＭまたはＤＶＤ−ＲＯＭからは地図情報を書き込み、音楽用、再生画像用のＣＤ−ＲＯＭまたはＤＶＤ−ＲＯＭからはオーディオデータを書き込むものである。
【００２６】
マイクロプロセッサからなる演算・制御部１は、全体の演算及び制御を行うＣＰＵ１１、及びＣＰＵ１１が各種の演算処理を行うに当たってワーキングメモリとして使用するデータ等が記憶されるＲＡＭ１２、制御用プログラム等が記憶されたＲＯＭ１３、ＲＯＭ１３から書き出したプログラムを記憶するフラッシュメモリ１４等の内部記憶装置や、日時を計測するタイマ１５、車両の出発地から目的地の間のルートを探索、探索されたルートに従ってルート案内するルートデータ等が記憶される経路地図メモリ１６等を備えている。なお、経路地図メモリ１６は、所定容量のメモリからなり、プレーヤ６から書き込んだ地図データを所定のメモリ容量を限度として書き込まれる。この経路地図メモリ１６は、ＲＡＭ１２と一体として構成することもできる。
【００２７】
ＲＯＭ１３には、各種のプログラムが記憶され、ＲＡＭ１２及び経路地図メモリ１６に各種のデータが書き込まれるようになっており、また、プログラム、データ等を外部記憶装置、メモリカード等からプログラム、データ等を書き出してフラッシュメモリ１４に書き込まれる。更に、メモリカード等を交換または外部から所定のプログラム、データ等をインストールすることによってプログラム、データ等を更新することができる。
演算・制御部１には、操作部２、ディスプレイ３、スピーカ４、通信部５、プレーヤ６等の各周辺装置が電気的に接続されている。操作部２は、案内開始地点としての出発地及び案内終了地点としての目的地を入力する際や、ＰＯＩ（施設情報）の検索を行う際等に操作され、各種キー等の複数の操作スイッチから構成される。演算・制御部１は、操作部２の各スイッチの操作により出力されるスイッチ信号に基づき、対応する各種の動作を実行すべく制御を行う。
【００２８】
ディスプレイ３には、操作案内、操作メニュー、キーの案内、現在地から目的地までのルートの所要メモの容量、地図データの書き込み情報、ルート案内に沿った案内情報等の本実施の形態に関する情報、オーディオ情報等が表示される。本実施の形態に関する情報としては、具体的には、図１に示す総合記憶容量計算部８１、総合書き込み容量計算部８２、書き込み容量計算部８３、残り容量計算部８４の幾つかで計算された値を表示する。本実施の形態では、百分率等の比率で示した棒グラフとして表示している。この比率は、図１に示すように、地図データのメモリの記憶容量としてもよいし、図９に示すように、走行距離情報としてもよい。勿論、比率表現は、棒グラフに限定されるものではなく、円グラフとすることもできる。
【００２９】
なお、ディスプレイ３として液晶ディスプレイの代わりに、ＣＲＴディスプレイ、プラズマディスプレイ、ＥＬ等を使用し、車両のフロントガラスにホログラムを投影するホログラム装置等を使用することもできる。そして、ディスプレイ３は操作部２としてのタッチスイッチを兼ねてもよい。スピーカ４は、演算・制御部１からの指示に基づいて、音声ガイダンスや、ルート案内のルート変更を案内する音声案内を出力する。なお、スピーカ４より出力される音声としては、合成された音声の他に、各種効果音、予めメモリ等に録音された各種の案内情報を出力することもできる。
【００３０】
また、日本国内では、必要に応じて、日本道路交通情報センター（ＪＡＲＴＩＣ（登録商標）：Japan Road Traffic Information Center（以下、単に「ＪＡＲＴＩＣ」という））、道路交通情報通信システムセンター（ＶＩＣＳ（登録商標）：Vehicle Information and Communication System（以下、単に「ＶＩＣＳ」という））等の情報センターとの間でネットワーク５１を介して通信を行う通信部５を設けることもできる。無線通信で行う無線ＬＡＮ、高度道路交通システム（ＩＴＳ）において利用されるＥＴＣ（登録商標）、地域情報として用いられているＤＳＲＣ等の無線基地局との通信を行う構成とすることもできる。
【００３１】
即ち、本発明を実施する場合には、警察、日本道路公団（登録商標）等の交通管制システム、駐車場情報を収集して作成した道路の渋滞等に関する情報や、交通規制情報、駐車場情報等の道路交通情報を所定距離毎に受信可能とすることができる。また、この道路交通情報は、例えば、道路の渋滞等に関する道路渋滞情報、道路工事、建築工事等による交通規制情報等の道路交通情報に関するローカル情報である。該ローカル情報の詳細情報としては、道路渋滞情報の場合、後述のＶＩＣＳリンクＩＤ、渋滞の実際の長さ、渋滞解消の見込まれる距離等であり、交通規制情報の場合、ＶＩＣＳリンクＩＤ、道路工事、建築工事等の継続期間、通行止め、片側交互通行、車線規制等の交通規制の種類、交通規制の距離帯等である。
【００３２】
自車の現在地を検出する現在地検出部７は、ＧＰＳセンサ７１、地磁気センサ７２、距離センサ７３、ステアリングセンサ７４、方位検出部としてのジャイロセンサ７５、更に、自車の走行速度及び走行距離を検出する車速センサ７６等からなる。なお、この距離センサ７３と車速センサ７６は単一のものとすることもできる。
特に、本実施の形態においては、ＧＰＳセンサ７１のみを使用し、現在地検出部７とすることもできる。ＧＰＳセンサ７１は、人工衛星から発生させられた電波を受信することにより、地球上における自車の現在地及び現在距離を検出する。地磁気センサ７２は、地磁気を測定することによって自車方位を検出する。距離センサ７３は、道路上の所定位置間の距離等を検出する。ここで、距離センサ７３としては、例えば、自車の車輪の回転速度を測定し、測定した回転速度に基づいて距離を検出するが、車速センサ７６の出力を積分して距離を検出してもよい。
【００３３】
また、ステアリングセンサ７４は自車の操舵角を検出するものである。ここで、ステアリングセンサ７４としては、例えば、ステアリングホイールの回転部に取り付けられた光学的な回転センサ、回転抵抗センサ、車輪に取り付けられた角度センサ等が使用される。
そして、ジャイロセンサ７５は自車の旋回角を検出するものである。ここで、ジャイロセンサ７５としては、例えば、ガスレートジャイロ、振動ジャイロ等が使用される。また、ジャイロセンサ７５によって検出された旋回角を積分することにより、自車方位を検出することができる。
【００３４】
本実施の形態１の地図データ処理部８は、次のように構成されている。
ルート探索部８０は、地図データに基づいて目的地までのルートを探索する目的地のルートを検索する機能であリ、プレーヤ６に挿入されているＣＤ−ＲＯＭ、ＤＶＤ−ＲＯＭから、そこに記録されたナビゲーション用の地図データを読み、出発地から目的地に至る間のルートを検索するものである。
また、プレーヤ６に挿入されているＣＤ−ＲＯＭ、ＤＶＤ−ＲＯＭから、そこに記録されたナビゲーション用の地図データを読み、出発地から目的地に至る間のルート案内に必要な地図データを書き込む総合記憶容量計算部８１は、プレーヤ６から読み出された地図データに基づいて目的地までのルート案内に使用される地図データを抽出し、ルート案内に使用される地図データの総合記憶容量を地図データに基づいて計算する機能を有している。具体的には、プレーヤ６に供給されたナビゲーション用のＣＤ−ＲＯＭ、ＤＶＤ−ＲＯＭから、そこに記録された出発地から目的地に至る間の地図データを書き、その記憶を行うのにどれだけのメモリ容量を必要とするかを判断するものである。そのため、出発地から目的地に至る間のルート案内に必要な地図データのメモリ使用量を読み取っている。
【００３５】
経路地図メモリ１６に書き込んだ地図データのデータ量の和を計算する総合書き込み容量計算部８２は、ルート案内に使用される地図データのうち経路地図メモリ１６に書き込まれたデータ量の和を総合書き込み容量として計算する機能を有している。具体的には、プレーヤ６に挿入されているＣＤ−ＲＯＭ、ＤＶＤ−ＲＯＭから、そこに記録されたナビゲーション用の地図データを読み、出発地から目的地に至る間のルート案内に必要な地図データを経路地図メモリ１６のメモリ使用量を限度として、繰り返し積算して書き込むものである。即ち、目的地に至るまでに経路地図メモリ１６に書き込んだ地図データのデータ量の和を計算するものである。
【００３６】
また、書き込み容量計算部８３は、プレーヤ６から読み出された地図データに基づいて目的地までのルート案内に使用される地図データのうち、経路地図メモリ１６に書き込み毎の地図データの書き込み容量を計算する機能を有している。具体的には、経路地図メモリ１６に書き込んだ地図データのデータ量を計算するもので、プレーヤ６に挿入されているＣＤ−ＲＯＭ、ＤＶＤ−ＲＯＭから、その都度、ナビゲーション用の地図データを読み、出発地から目的地に至る間のルート案内に必要な地図データを経路地図メモリ１６のメモリ使用量を限度として書き込むものである。即ち、目的地に至るまでに経路地図メモリ１６に書き込んだ度毎の、各データ量を計算するものである。
【００３７】
そして、残り容量計算部８４は、書き込み容量計算部８３で得た値から現在までに走行してきたデータ量を減算して残り容量を計算する機能を有している。具体的には、書き込み容量計算部８３で得た計算値から現在までに走行してきた距離の地図データ容量を減算するもので、本実施の形態では、距離情報に変換することなく、現在位置からその過去の地図データに相当する地図データが使用するメモリ容量を減算することによって、これから使用できる地図データ量を得るものである。即ち、書き込み容量計算部８３で得た値から現在までに走行してきた地図データ容量を減算するものである。
【００３８】
表示用計算部８５は、総合記憶容量計算部８１と総合書き込み容量計算部８２で計算された値を、[総合書き込み容量計算部８２の値（総合書き込み容量）／総合記憶容量計算部８１の値（総合記憶容量）]として計算し、それを経路地図メモリ１６に繰り返し書き込んだ画像データの使用量として比率で表現することができる。勿論、総合記憶容量計算部８１に対する総合書き込み容量計算部８２の計算値は、出発地から目的地に至る間の地図データの総量を１００％とした百分率で総合書き込み容量計算部８２の値を示すこともできる。
なお、総合書き込み容量計算部８２の値（総合書き込み容量）を総合記憶容量計算部８１の値（総合記憶容量）で割ることは、再書き込みの可能性を百分率で示すもので、通常、１回の書き込みで少なくとも、２０〜３０％を超えるメモリ容量を使用するのであるから、このようにパーセントで示しているが、本発明を実施する場合には、総合記憶容量計算部８１の値を総合書き込み容量計算部８２の値で割っても、同様に算出することができる。この場合には、小数点以下を切り上げることになる。
【００３９】
図２のコリドー機能で走行中の画面を用いて、ディスプレイ３による表示状態について説明する。
ディスプレイ３には、ナビゲーション機能である地図表示部３１と、本実施の形態の表示部８６とを有し、表示部８６は経路地図メモリ１６のメモリ使用量表示３３と再書き込み表示３４を有している。
メモリ使用量表示３３は、経路地図メモリ１６に対してナビゲーション用のＣＤ−ＲＯＭ、ＤＶＤ−ＲＯＭから地図データの書き込みがあった経路地図メモリ１６の使用量を表示するもので、使用量１００％の全体が経路地図メモリ１６の全容量使用状態であり、全体の書き込み容量表示３３ａは、残り容量表示３３ｂと走行容量表示３３ｃの和となり、経路地図メモリ１６に対してナビゲーション用のＣＤ−ＲＯＭ、ＤＶＤ−ＲＯＭから１回の地図データの書き込みがあったメモリの使用量を示すものである。また、残り容量表示３３ｂは、現在までに車両が走行してきた地図データ容量の積分値が走行容量表示３３ｃである。
【００４０】
また、図２の再書き込み表示３４に示すように、総合記憶容量計算部８１の値が全体（始発地から目的地）で総合記憶容量３４ａとなり、総合書き込み容量計算部８２の値が始発地からの書き込み積算量３４ｂとなる。したがって、全体の書き込み容量表示３３ａの量が走行容量表示３３ｃの増加によって残り容量表示３３ｂを少なくするとき、経路地図メモリ１６の再書き込みのタイミングが判断される。
なお、本実施の形態１ではメモリ容量を基準にしているが、後述する実施の形態２のように、距離情報を基準にすることもできる。この実施の形態１では、メモリ容量を基準に説明する。
【００４１】
このように計算された値は、図２の始発地と目的地との間の位置で表現され、再書き込み表示３４に示すように、総合記憶容量計算部８１の値が始発地から目的地の間の総合記憶容量３４ａとなり、総合書き込み容量計算部８２の値が斜線で示す書き込み積算量３４ｂとなる。
図示から分かるように、仮に、１回の書き込みによって、書き込み積算量３４ｂが５０％程度の位置にあれば、目的地の距離の半分まで走行する前に、ナビゲーション用のＣＤ−ＲＯＭ、ＤＶＤ−ＲＯＭから地図データの書き込みが必要であることが判断できる。
また、メモリ使用量表示３３は、経路地図メモリ１６の書き込みが終了したとき、全体の書き込み容量表示３３ａが表示される。現在までに車両が走行してきた走行容量表示３３ｃが表示されたとき、全体の書き込み容量表示３３ａから走行容量表示３３ｃを減算した値が残り容量表示３３ｂとなる。残り容量表示３３ｂの値によって、経路地図メモリ１６の再書き込みのタイミングが得られる。
【００４２】
次に、図３を用いて、コリドー機能によるプレーヤ６に挿入されているＣＤ−ＲＯＭ、ＤＶＤ−ＲＯＭから、そこに記録されたナビゲーション用の地図データの書き込みについて説明する。
操作部２にあるコリドー機能キーの選択によって、このルーチンが開始される。まず、ステップＳ１でプレーヤ６に挿入されているＣＤ−ＲＯＭ、ＤＶＤ−ＲＯＭの地図データのディスクが確認される。ディスクが確認されると、ステップＳ２で目的地の入力を確認し、目的地が入力されると、ステップＳ３で現在地から目的地までのルートが探索される。ステップＳ４で幾つかのルートから択一的に特定のルートが選択されると、ステップＳ５で選択されたルートの全ルート長（全距離）の地図データを書き込む場合のメモリ必要容量を算出する。即ち、ステップＳ５は車両の出発地から目的地に至る間のルート案内に必要な地図データの総合記憶容量をプレーヤ６の地図データから読んで計算する総合記憶容量計算部８１を構成する。このときの状態を図６（ａ）の経路地図メモリの書き込み直前の説明図に示す。
【００４３】
次に、ステップＳ６で経路地図メモリ１６に書き込みができるようにメモリをクリアし、ステップＳ７でデータの書き込みを開始する。ステップＳ８で経路地図メモリ１６に書き込みができるメモリ残量がなくなっていないか確認し、メモリ残量があるとき、ステップＳ９で操作部２にある書き込み停止キーの選択またはプレーヤ６に挿入されているディスクの排出操作がなされていないとき、ステップＳ１０で経路地図メモリ１６の書き込みが完了したか否かを判断し、書き込みが完了していないとき、ステップＳ７からステップＳ１０のルーチンを繰り返し実行し、経路地図メモリ１６に対し地図データの書き込みを行う。
【００４４】
ステップＳ１０で経路地図メモリ１６の書き込みが目的地まででき完了したと判断したとき、ステップＳ１１で再書き込み表示３４を１００％に設定する。即ち、ステップＳ５で得た総合記憶容量計算部８１で得た値と等しく、ステップＳ１０によって経路地図メモリ１６の目的地までの書き込みが完了したことを意味するから、ステップＳ１１で再書き込み表示３４の総合書き込み容量計算部８２の値／総合記憶容量計算部８１の百分率で表現された値、即ち、総合記憶容量３４ａに等しく書き込み積算量３４ｂの値を１００％と設定するものである。この表示によって再度の書き込みの必要性がないことが確認される。
また、ステップＳ１２でメモリ使用量表示３３に全体の書き込み容量表示３３ａを計算して表示する。なお、経路地図メモリ１６の書き込み時には、走行容量表示３３ｃは発生していない。ステップＳ１３で表示部８６の出力とし、ステップＳ１４で書き込み完了フラグを"１"とする。
【００４５】
ステップＳ９で操作部２にある書き込み停止キーの選択またはプレーヤ６に挿入されているディスクの排出操作がなされると、ステップＳ１５で再書き込み表示３４の計算を行う。即ち、経路地図メモリ１６の書き込みが完了する目的地に至るまでの書き込み中に中断したことを意味するから、ステップＳ１４で書き込み積算量３４ｂを総合書き込み容量計算部８２の値／総合記憶容量計算部８１の百分率で表現された値を計算する。図６（ｂ）は、ステップＳ９で書き込み停止を行った場合の再書き込み表示３４の書き込み積算量３４ｂであり、メモリ使用量表示３３の全体の書き込み容量表示３３ａである。
次いで、ステップＳ１２でメモリ使用量表示３３に全体の書き込み容量表示３３ａを計算して表示する。そして、ステップＳ１３で表示部８６の出力とし、ステップＳ１４で書き込み完了フラグを"１"とする。
【００４６】
ステップＳ８で経路地図メモリ１６に書き込みができるメモリ残量がなくなっていると判断したとき、ステップＳ１６で再書き込み表示３４の書き込み積算量３４ｂを１００％に設定する。即ち、総合書き込み容量計算部８２の値／総合記憶容量計算部８１の百分率で表現された値を計算し、書き込み積算量３４ｂを表示する。次いで、ステップＳ１７でメモリ使用量表示３３に表示する値は、経路地図メモリ１６に全体の書き込み容量が１００％であるから、その全体の書き込み容量との間で、メモリ使用量が表示される。メモリ使用量表示３３に全体の書き込み容量表示３３ａは１００％として表示する。そして、ステップＳ１３で表示部８６の出力とし、ステップＳ１４で書き込み完了フラグを"１"とする。
因みに、本実施の形態では、経路地図メモリ１６の書き込み容量が１００％であるから、経路地図メモリ１６に書き込まれた全体の書き込み容量表示３３ａの値を同率の百分率で表現している。
【００４７】
次に、図４のコリドー機能によって走行中のフローチャートについて説明する。
ステップＳ２１で書き込みフラグが"１"または"０"であるかを判断し、書き込みフラグが"０"のとき、このルーチンを脱する。書き込みフラグが"１"のとき、ステップＳ２２で自己の車両位置を記憶し、ステップＳ２３で残り容量を計算し、ステップＳ２４でそれを残り容量表示３３ｂとして出力する。ステップＳ２５で再書き込みを行うために地図データのディスクの挿入を確認すると、このルーチンを脱する。
【００４８】
しかし、ステップＳ２５で再書き込みを行うために地図データのディスクの挿入の確認ができないとき、ステップＳ２６で残り容量計算部８４の値が特定の閾値以下であるか判断し、所定の閾値以下になるまでステップＳ２２からステップＳ２６のルーチンを繰り返し実行する。図７（ａ）はコリドー機能によって走行に入ったときの状態であり、所定距離走行すると、図７（ｂ）に示すように、走行容量表示３３ｃの増加により、残り容量表示３３ｂが少なくなる。
そして、ステップＳ２６で残り容量計算部８４の値が特定の閾値以下であるか判断し、所定の閾値以下になったとき、ステップＳ２７でメモリ使用量表示３３に表示する値、即ち、残り容量表示３３ｂを点滅させ、ステップＳ２２からステップＳ２７のルーチンを繰り返し実行する。
【００４９】
ステップＳ２５で再書き込みを行うために地図データのディスクの挿入を確認すると、図５の再書き込みのプログラムがコールされる。
ステップＳ３１で地図データのディスクの挿入を確認すると、ステップＳ３２で書き込みフラグを"０"とし、ステップＳ３３で経路地図メモリ１６の残りの書き込み容量を記憶し、ステップＳ３４で目的地ルートの残りの書き込み容量を記憶し、ステップＳ３５で目的地ルートの残りの必要メモリを計算する。
【００５０】
そして、ステップＳ３６でデータの書き込みを開始する。ステップＳ３７で経路地図メモリ１６に書き込みができるメモリ残量がなくなっていないか確認し、メモリ残量があるとき、ステップＳ３８で操作部２にある書き込み停止キーの選択またはプレーヤ６に挿入されているディスクの排出操作がなされていないとき、ステップＳ３９で経路地図メモリ１６の書き込みが完了したか否かを判断し、書き込みが完了していないとき、ステップＳ３６からステップＳ３９のルーチンを繰り返し実行し、経路地図メモリ１６に対し地図データの書き込みを行う。
【００５１】
ステップＳ３９で経路地図メモリ１６の書き込みが目的地までできたと判断したとき、ステップＳ４０で再書き込み表示３４の書き込み積算量３４ｂを１００％に設定する。即ち、ステップＳ５で得た総合記憶容量計算部８１で得た値と等しく、ステップＳ３９によって経路地図メモリ１６の目的地までの書き込みが完了したことを意味するから、ステップＳ４１で再書き込み表示３４の総合書き込み容量計算部８２の値／総合記憶容量計算部８１の百分率で表現された値、即ち、総合記憶容量３４ａに等しく書き込み積算量３４ｂの値を１００％と設定するものである。この表示によって再度の書き込みの必要性がないことが確認される。また、ステップＳ４１でメモリ使用量表示３３に全体の書き込み容量表示３３ａを計算して表示する。なお、経路地図メモリ１６の書き込み時には、走行容量表示３３ｃは発生していない。ステップＳ４２で表示部８６の出力とし、ステップＳ４３で書き込み完了フラグを"１"とする。
【００５２】
ステップＳ３８で操作部２にある書き込み停止キーの選択またはプレーヤ６に挿入されているディスクの排出操作がなされると、ステップＳ４４で再書き込み表示３４の計算を行う。即ち、経路地図メモリ１６の書き込みが完了する目的地に至るまでの書き込み中に中断したことを意味するから、ステップＳ４４で書き込み積算量３４ｂを総合書き込み容量計算部８２の値／総合記憶容量計算部８１の百分率で表現された値を計算する。図８（ａ）は、ステップＳ３８で書き込み停止を行った場合の再書き込み表示３４の書き込み積算量３４ｂであり、メモリ使用量表示３３の全体の書き込み容量表示３３ａである。この状態で再度の書き込みが必要であり、経路地図メモリ１６の再書き込みなしには走行できないので、書き込みを中断したものである。
次いで、ステップＳ４１でメモリ使用量表示３３に全体の書き込み容量表示３３ａを計算して表示する。そして、ステップＳ４２で表示部８６の出力とし、ステップＳ４３で書き込み完了フラグを"１"とする。
【００５３】
また、ステップＳ３７で経路地図メモリ１６に書き込みができるメモリ残量がなくなっていると判断したとき、ステップＳ４５で再書き込み表示３４の総合書き込み容量計算部８２の値／総合記憶容量計算部８１の百分率で表現された値を計算し、書き込み積算量３４ｂを表示する。次いで、ステップＳ４６でメモリ使用量表示３３に表示する値は、経路地図メモリ１６に全体の書き込み容量が１００％であるから、その全体の書き込み容量との間で、メモリ使用量が表示される。メモリ使用量表示３３に全体の書き込み容量表示３３ａは１００％として表示する。そして、ステップＳ４２で表示部８６の出力とし、ステップＳ４３で書き込み完了フラグを"１"とする。
因みに、本実施の形態では、経路地図メモリ１６の書き込み容量が１００％であるから、経路地図メモリ１６に書き込まれた全体の書き込み容量表示３３ａの値を同率の百分率で表現している。この状態で再度車両が走行すると、図８（ｂ）に示すように、走行容量表示３３ｃの増加により、残り容量表示３３ｂが少なくなる。
【００５４】
このように、図１乃至図９に示した本実施の形態１の車載ナビゲーション装置は、目的地までのルートを探索すると共に、該探索されたルートに従ってルート案内するナビゲーション機能及びオーディオ再生機能を有するコリドー機能を搭載したナビゲーション装置において、ナビゲーション用の地図データを格納した地図ディスクの読み出しとオーディオ用コンテンツを格納したオーディオディスクの再生とを兼用するプレーヤ６と、目的地に至るルート案内に使用する地図データの総合記憶容量を地図ディスクに格納された地図データに基づいて計算する総合記憶容量計算部８１と、プレーヤ６から読み出した地図データに基づいて経路案内に使用される地図データを書き込む経路地図メモリ１６と、経路地図メモリ１６に書き込んだ地図データのデータ量の積算値を計算する総合書き込み容量計算部８２と、総合記憶容量計算部８１と総合書き込み容量計算部８２で計算された値をディスプレイ３で表示する表示部８６とを具備するものである。
【００５５】
更に、ナビゲーション装置に関する機能をまとめると、地図記憶媒体から地図データを含むコンテンツの読み出しを行うプレーヤ６と、ルート案内に使用される地図データを書き込むための経路地図メモリ１６と、地図データに基づいて目的地までのルートを探索するルート探索部と、プレーヤ６から読み出された地図データに基づいて目的地までのルート案内に使用される地図データを抽出し、ルート案内に使用される地図データの総合記憶容量を地図データに基づいて計算する総合記憶容量計算部８１と、ルート案内に使用される地図データのうち経路地図メモリ１６に書き込まれたデータ量の和を総合書き込み容量として計算する総合書き込み容量計算部８２と、総合記憶容量計算部８１で計算された総合記憶容量と総合書き込み容量計算部８２で計算された経路地図メモリ１６に書き込まれた総合書き込み容量とをディスプレイ３で表示する表示部を具備する実施の形態とすることができる。
【００５６】
したがって、車両の出発地から目的地に至る間のルート案内に必要な地図データの総合記憶容量をナビゲーション用と前記オーディオ用とを兼用するプレーヤ６から書き込み、そのデータ量を総合記憶容量計算部８１で計算し、また、プレーヤ６から所定容量の経路地図メモリ１６に書き込んだ地図データ量を総合書き込み容量計算部８２で計算する。そして、総合記憶容量計算部８１と総合書き込み容量計算部８２で計算された値を表示部８６で表示するものである。
【００５７】
このように、プレーヤ６から書き込まれた所定容量の経路地図メモリ１６に格納された所定容量の地図データによって、所定の探索されたルートに従ってルート案内される。その間、オーディオ機能によって、音楽等を楽しむことができる。この間に、総合書き込み容量計算部８２で計算された計算値に到達するまでを、表示部８６の表示で確認できるから、所定の書き込み容量になったとき、ナビゲーション機能がなくなる以前に、最寄りのサービスエリア、パーキングエリア等の駐停車可能地域で再書き込みを行うことができる。この、総合記憶容量計算部８１と総合書き込み容量計算部８２で計算された値でも、目的地までの距離及びそれまで走行してきた距離との関係で、再書き込みのタイミングを得ることができる。よって、コリドー機能によってディスクから経路地図メモリ１６に格納された地図データのメモリ使用量及びその状況、ディスクの入れ替え時期を視覚的、聴覚的にも報知できる。
【００５８】
また、本実施の形態１の車載ナビゲーション装置の表示部８６では、総合記憶容量計算部８１と総合書き込み容量計算部８２で、[総合書き込み容量計算部８２の値／総合記憶容量計算部８１の値]と比率で表現するものであるから、最終目的地に到達するまでに、何回再書き込みを行えばよいかが判断され、ユーザはその再書き込みの回数及びタイミングを認識することにより、最寄りのサービスエリア、パーキングエリア等の駐停車可能地域に入ることができる。特に、駐車時間、駐車場所に応じて、停車している時間が短い場合には、必要最小限の書き込みを行い、駐車時間、駐車場所を選択してその補充を行うことができ、その走行距離が表示部８６によって確認できる。
【００５９】
更に、図１乃至図８に示した本実施の形態１の車載ナビゲーション装置は、車両の出発地から目的地の間のルートを探索すると共に、該探索されたルートに従ってルート案内するナビゲーション機能及びルート案内中のオーディオ機能を有するコリドー機能を搭載した車載ナビゲーション装置において、ナビゲーション用とオーディオ用とを兼用するプレーヤ６と、プレーヤ６から地図データを書き込む所定容量の経路地図メモリ１６と、経路地図メモリ１６に対する書き込み毎に、地図データのデータ量を計算する書き込み容量計算部８３と、書き込み容量計算部８３で得た値から現在までに走行してきたデータ量を減算する残り容量計算部８４と、書き込み容量計算部８３と残り容量計算部８４で計算された値を表示する表示部８６とを具備する発明の実施の形態とすることができる。
【００６０】
したがって、車両の出発地から目的地に向かった地図データを所定容量の経路地図メモリ１６に書き込み、地図データ量を書き込み容量計算部８３で計算し、ナビゲーション用とオーディオ用とを兼用するプレーヤ６から書き込んだ地図データを所定容量の経路地図メモリ１６に書き込んだ後、書き込み容量計算部８３で得た値から現在までに走行してきた距離に相当するデータ量を残り容量計算部８４で減算する。そして、書き込み容量計算部８３と残り容量計算部８４で計算された値を表示部８６で表示するものである。
【００６１】
このように、プレーヤ６から地図データが書き込まれた所定容量の経路地図メモリ１６の地図データによって、所定の探索されたルートに従ってルート案内される。その間、オーディオ機能によって、音楽等を楽しむことができる。この間に、残り容量計算部８４で計算された値を表示部８６の表示で確認でき、ナビゲーション機能が停止になる以前の所定の残り容量計算部８４で計算したデータ量になったとき、最寄りのサービスエリア、パーキングエリア等の駐停車可能地域に入ることができる。この書き込み容量計算部８３と残り容量計算部８４で計算された値によって、これからの再書き込みを行うタイミングが正確に判断される。よって、コリドー機能によってディスクから経路地図メモリ１６に格納された地図データのメモリ使用量及びその状況、ディスクの入れ替え時期を視覚的、聴覚的にも報知できる。
【００６２】
そして、本実施の形態１の車載ナビゲーション装置の表示部８６では、書き込み容量計算部８３と残り容量計算部８４の値を[残り容量計算部８４の値（残り容量）／書き込み容量計算部８３の値（書き込み容量）]と比率で表現するものである。書き込み容量計算部８３と残り容量計算部８４で計算された値を[残り容量計算部８４の値（残り容量）／書き込み容量計算部８３の値（書き込み容量）]という比率で表現するものであるから、前回の書き込みから再書き込みを行う地点に到達するまでに、どのくらいの走行距離があるかを表示し、ユーザはその再書き込みのタイミング及び再書き込みの繰り返し回数を認識することができる。特に、駐車時間、駐車場所に応じて、停車している時間が短い場合には、ナビゲーション機能の必要最小限の書き込みを行い、駐車時間、駐車場所を選択して、その補充を行うことができ、その走行距離が表示部８６によって確認できる。
【００６３】
更にまた、図１乃至図８に示した実施の形態１の車載ナビゲーション装置は、車両の出発地から目的地の間のルートを探索すると共に、該探索されたルートに従ってルート案内するナビゲーション機能及び前記ルート案内中のオーディオ機能を有するコリドー機能を搭載した車載ナビゲーション装置において、ナビゲーション用とオーディオ用とを兼用するプレーヤ６と、車両の出発地から目的地に至る間のルート案内に必要な地図データの総合記憶容量を、プレーヤ６に挿入された地図データから読んで計算する総合記憶容量計算部８１と、プレーヤ６から地図データを書き込む所定容量の経路地図メモリ１６と、目的地に至るまでに経路地図メモリ１６に書き込んだ地図データのデータ量の和を計算する総合書き込み容量計算部８２と、経路地図メモリ１６に対する書き込み毎に、地図データのデータ量を計算する書き込み容量計算部８３と、書き込み容量計算部８３で得た値から現在までに走行してきたデータ量を減算する残り容量計算部８４と、総合記憶容量計算部８１と総合書き込み容量計算部８２及び書き込み容量計算部８３と残り容量計算部８４で計算された値を表示する表示部８６とを具備する発明の実施の形態とすることができる。
【００６４】
車両の出発地から目的地に至る間のルート案内に必要な地図データの総合記憶容量を総合記憶容量計算部８１で計算し、ナビゲーション用とオーディオ用とを兼用するプレーヤから経路地図メモリ１６に地図データ量を書き込み、それを総合書き込み容量計算部８２で計算する。そして、総合記憶容量計算部８１と総合書き込み容量計算部８２で計算された値を表示部８６で表示するものである。更に、車両の出発地から目的地に向かった所定容量の経路地図メモリ１６に書き込んだ地図データのデータ量を書き込み容量計算部８３で計算し、プレーヤ６から地図データを所定容量の経路地図メモリ１６に書き込んだ後、書き込み容量計算部８３で得た値から現在までに走行してきたデータ量を残り容量計算部８４で減算する。そして、書き込み容量計算部８３と残り容量計算部８４で計算された値も表示部８６で表示するものである。
【００６５】
したがって、プレーヤ６から書き込んだ地図データを書き込む所定容量の経路地図メモリ１６に格納された地図データによって、所定の探索されたルートに従ってルート案内される。その間、オーディオ機能によって、音楽等を楽しむことができる。この間に、残り容量計算部８４で計算された値が所定の書き込み容量計算部８３で計算したデータ量に到達するまでを、表示部８６の表示で確認できるから、所定の残り容量計算部８４の値になったとき、ナビゲーション機能を維持すべく、最寄りのサービスエリア、パーキングエリア等の駐停車可能地域に入ることができる。この総合記憶容量計算部８１と総合書き込み容量計算部８２で計算された値及び書き込み容量計算部８３と残り容量計算部８４で計算された値によって、これからの書き込み回数、再書き込みを行うタイミングが正確に判断される。よって、コリドー機能によってディスクからメモリに格納された地図データのメモリ使用量及びその状況、ディスクの入れ替え時期を視覚的、聴覚的にも報知できる。
【００６６】
この実施の形態１の車載ナビゲーション装置の表示部８６では、書き込み容量計算部８３と残り容量計算部８４の値を[残り容量計算部８３の値（残り容量）／書き込み容量計算部８４の値（書き込み容量）]並びに、総合記憶容量計算部８１と総合書き込み容量計算部８２の値を[総合書き込み容量計算部８２の値（総合書き込み容量）／総合記憶容量計算部８１の値（総合記憶容量）]との比率で表現するものであるから、最終目的地に到達するまでに、何回再書き込みを行えばよいかが判断され、ユーザはその再書き込みの回数を認識することにより最寄りのサービスエリア、パーキングエリア等の駐停車可能地域に入ることができ、再書き込みの準備ができる。また、前回の書き込みから再書き込みを行う地点に到達するまでに、どのくらいの走行距離があるかを表示し、ユーザはその再書き込みのタイミングを認識することができる。
【００６７】
本実施の形態１の車載ナビゲーション装置は、残り容量計算部８４で計算された値が、所定の閾値以下になったとき、表示部８６の表示を点滅及び／または報知音を発生させるものである。したがって、表示部８６の表示に情報を付与しておけば、再書き込みのタイミングに応じて、最寄りのサービスエリア、パーキングエリア等の駐停車可能地域に入ることができる。特に、駐車時間、駐車場所に応じて、停車している時間が短い場合には、必要最小限の書き込みを行い、駐車時間、駐車場所を選択してその補充を行うことができ、その走行距離が表示部８６によって確認できる。
【００６８】
上記実施の形態１の車載ナビゲーション装置は、総合記憶容量計算部８１、総合書き込み容量計算部８２、書き込み容量計算部８３、残り容量計算部８４は、その何れか１つ以上を距離基準とした総合距離計算部８１０、書き込み距離計算部８２０、書き込み距離計算部８３０、残り距離計算部８４０として置き換えることができる。このように、距離情報という身近な情報で再書き込みのタイミングを取得し、最寄りのサービスエリア、パーキングエリア等の駐停車可能地域に入ることができる。
【００６９】
[実施の形態２]
この種の実施の形態は、以下の発明の実施の形態２として表現することができる。
図９は本発明の実施の形態２にかかる車載ナビゲーション装置を機能表現した全体構成を示すブロック図である。ここで、図１に示す実施の形態との違いのみ説明する。
図において、本実施の形態２の地図データ処理部８は、総合距離計算部８１０、書き込み距離計算部８２０、書き込み距離計算部８３０、残り距離計算部８４０を有している。
【００７０】
総合距離計算部８１０は、プレーヤ６に供給されたナビゲーション用のＣＤ−ＲＯＭ、ＤＶＤ−ＲＯＭから、そこに記録された出発地から目的地に至る間の地図データを読み、その記憶を行うのにどれだけのメモリ容量を必要とするかを判断するもので、出発地から目的地に至る間のルート案内に必要な地図データのメモリ使用量を距離として読み取っている。
【００７１】
経路地図メモリ１６に書き込んだ地図データの距離の和を計算する総合書き込み距離計算部８２０は、プレーヤ６に挿入されているＣＤ−ＲＯＭ、ＤＶＤ−ＲＯＭから、そこに記録されたナビゲーション用の地図データを読み、出発地から目的地に至る間のルート案内に必要な地図データを経路地図メモリ１６のメモリ使用量を限度として、繰り返し積算して書き込むものである。即ち、目的地に至るまでに経路地図メモリ１６に書き込んだ地図データのデータ量を距離とし、その距離の和を計算するものである。
【００７２】
また、書き込み距離計算部８３０は、経路地図メモリ１６に書き込んだ地図データのデータ量を距離として計算するもので、プレーヤ６に挿入されているＣＤ−ＲＯＭ、ＤＶＤから、その都度、ナビゲーション用の地図データを読み、出発地から目的地に至る間のルート案内に必要な地図データを経路地図メモリ１６のメモリ使用量を限度として書き込むものである。即ち、目的地に至るまでに経路地図メモリ１６に書き込んだ毎のデータ量を距離として計算するものである。
【００７３】
そして、残り距離計算部８４０は、書き込み距離計算部８３０で得た計算値から現在までに走行してきた距離を減算したもので、これから使用できる走行距離を得るものである。なお、この残り距離計算部８４０を算出する場合の、現在までに走行してきた距離は、車両の距離センサ７３の出力を用いてもよい。
【００７４】
表示用計算部８５は、総合距離計算部８１０と総合書き込み距離計算部８２０で計算された値を、[書き込み距離計算部８２０の値（総合書き込み距離）／総合距離計算部８１０の値（総合距離）]として計算し、それを経路地図メモリ１６に繰り返し書き込んだ画像データの使用量として比率で表現することができる。勿論、総合距離計算部８１０に対する総合書き込み距離計算部８２０の計算値は、出発地から目的地に至る間の地図データの総量を１００％とした百分率で総合書き込み距離計算部８２０の値（総合書き込み距離）を示すこともできる。なお、総合書き込み距離計算部８２０の値（総合書き込み距離）を総合距離計算部８１０の値（総合距離）で割ることは、再書き込みの可能性を比率で示すものである。
【００７５】
このように、本実施の形態２の車載ナビゲーション装置は、地図記憶媒体から地図データを含むコンテンツの読み出しを行うプレーヤ６と、ルート案内に使用される地図データを書き込むための経路地図メモリ１６と、地図データに基づいて目的地までのルートを探索するルート探索部８０と、プレーヤ６から読み出された地図データに基づいて目的地までのルート案内に使用される地図データを抽出し、ルート案内に使用される地図データの総合記憶容量を地図データに基づいて計算する総合距離計算部８１０と、ルート案内に使用される地図データのうち経路地図メモリ１６に書き込まれたデータ量の和を総合書き込み容量を距離として計算する総合書き込み距離計算部８２０と、総合距離計算部８１０で計算された総合距離と総合書き込み距離計算部８２０で計算された経路地図メモリ１６に書き込まれた総合書き込み距離とをディスプレイ３で表示する表示部８６を具備する発明の実施の形態とすることができる。
【００７６】
したがって、車両の出発地から目的地に至る間のルート案内に必要な地図データの総合記憶容量をナビゲーション用と前記オーディオ用とを兼用するプレーヤ６から書き込み、そのデータ量を総合距離計算部８１０で計算し、また、プレーヤ６から所定容量の経路地図メモリ１６に書き込んだ地図データ量を総合書き込み距離計算部８２０で距離として計算する。そして、総合距離計算部８１０と総合書き込み距離計算部８２０で計算された距離としての値をディスプレイ３の表示部８６で表示するものである。
【００７７】
このように、プレーヤ６から書き込まれた所定容量の経路地図メモリ１６に格納された所定容量の地図データによって、所定の探索されたルートに従ってルート案内される。その間、オーディオ機能によって、音楽等を楽しむことができる。この間に、総合書き込み距離計算部８２０で計算された計算値に到達するまでを、表示部８６の表示で確認できるから、所定の書き込み距離になったとき、ナビゲーション機能がなくなる以前に、最寄りのサービスエリア、パーキングエリア等の駐停車可能地域で再書き込みを行うことができる。この、総合距離計算部８１０と総合書き込み距離計算部８２０で計算された値でも、目的地までの距離及びそれまで走行してきた距離との関係で、再書き込みのタイミングを得ることができる。
【００７８】
また、本実施の形態２の車載ナビゲーション装置の表示部８６では、総合距離計算部８１０と総合書き込み距離計算部８２０で、[総合書き込み距離計算部８２０の値（総合書き込み距離）／総合距離計算部８１０の値（総合距離）]と比率で表現するものであるから、最終目的地に到達するまでに、何回再書き込みを行えばよいかが判断され、ユーザはその再書き込みの回数及びタイミングを認識することにより、最寄りのサービスエリア、パーキングエリア等の駐停車可能地域に入ることができる。
【００７９】
また、本実施の形態２の車載ナビゲーション装置は、車両の出発地から目的地の間のルートを探索すると共に、該探索されたルートに従ってルート案内するナビゲーション機能及びルート案内中のオーディオ機能を有するコリドー機能を搭載した車載ナビゲーション装置において、地図記憶媒体から地図データを含むコンテンツの読み出しを行うプレーヤ６と、ルート案内に使用される地図データを書き込むための経路地図メモリ１６と、地図データに基づいて目的地までのルートを探索するルート探索部８０と、プレーヤ６から読み出された地図データに基づいて目的地までのルート案内に使用される地図データのうち経路地図メモリ１６に書き込み毎の地図データの書き込み容量を距離として計算する書き込み距離計算部８３０と、書き込み距離計算部８３０で得た値から現在までに走行してきたデータ量を距離として減算して残り距離を計算する残り距離計算部７４０と、前記書き込み距離計算部８３０で計算された書き込み距離と前記残り距離計算部８４０で計算された前記残り距離とをディスプレイ３で表示する表示部を具備する発明の実施の形態とすることができる。
【００８０】
したがって、車両の出発地から目的地に向かった地図データを所定容量の経路地図メモリ１６に書き込み、地図データ量を書き込み距離計算部８３０で計算し、ナビゲーション用とオーディオ用とを兼用するプレーヤ６から書き込んだ地図データを所定容量の経路地図メモリ１６に書き込んだ後、書き込み距離計算部８３０で得た値から現在までに走行してきた距離に相当するデータ量を残り距離計算部８４０で距離として減算する。そして、書き込み距離計算部８３０と残り距離計算部８４０で計算された値をディスプレイ３の表示部８６で表示するものである。
【００８１】
このように、プレーヤ６から地図データが書き込まれた所定容量の経路地図メモリ１６の地図データによって、所定の探索されたルートに従ってルート案内される。その間、オーディオ機能によって、音楽等を楽しむことができる。この間に、残り距離計算部８４０で計算された値を表示部８６の表示で確認でき、ナビゲーション機能が停止になる以前の所定の残り距離計算部８４０で計算した距離になったとき、最寄りのサービスエリア、パーキングエリア等の駐停車可能地域に入ることができる。この書き込み容量計算部と残り容量計算部で計算された値によって、これからの再書き込みを行うタイミングが正確に判断される。
【００８２】
そして、本実施の形態２の車載ナビゲーション装置の表示部８６では、書き込み距離計算部８３０と残り距離計算部８４０の値を[残り距離計算部８４０の値（残り距離）／書き込み距離計算部８３０の値（書き込み距離）]と比率で表現するものである。書き込み距離計算部８３０と残り距離計算部８４０で計算された値を[残り距離計算部８４０の値（残り距離）／書き込み距離計算部８３０の値（書き込み距離）]という比率で表現するものであるから、前回の書き込みから再書き込みを行う地点に到達するまでに、どのくらいの走行距離があるかを表示し、ユーザはその再書き込みのタイミングを認識することができる。
【００８３】
本実施の形態２の車載ナビゲーション装置は、車両の出発地から目的地の間のルートを探索すると共に、該探索されたルートに従ってルート案内するナビゲーション機能及び前記ルート案内中のオーディオ機能を有するコリドー機能を搭載した車載ナビゲーション装置において、地図記憶媒体から地図データを含むコンテンツの読み出しを行うプレーヤ６と、ルート案内に使用される地図データを書き込むための経路地図メモリ１６と、地図データに基づいて目的地までのルートを探索するルート探索部８０と、プレーヤ６から読み出された地図データに基づいて目的地までのルート案内に使用される地図データを抽出し、ルート案内に使用される地図データの総合記憶容量を地図データに基づいて距離を計算する総合距離計算部８１０と、ルート案内に使用される地図データのうち経路地図メモリ１６に書き込まれたデータ量の和を総合書き込み容量を距離として計算する総合書き込み距離計算部８２０と、ルート案内に使用される地図データのうち経路地図メモリ１６に書き込み毎の地図データの書き込み容量を距離として計算する書き込み距離計算部８３０と、書き込み距離計算部８３０で得た距離から現在までに走行してきた距離を減算して残り距離を計算する残り距離計算部８４０と、総合距離計算部８１０で計算された総合距離と総合書き込み距離計算部８２０で計算された総合書き込み距離と書き込み距離計算部８３０で計算された書き込み距離と残り距離計算部８４０で計算された残り距離とをディスプレイ３で表示する表示部８６を具備する発明の実施の形態とすることができる。
【００８４】
また、本実施の形態２の車載ナビゲーション装置の表示部８６では、書き込み距離計算部８３０と残り距離計算部８４０の値を[残り距離計算部８３０の値（残り距離）／書き込み距離計算部８４０の値（書き込み距離）]並びに、総合距離計算部８１０と書き込み距離計算部８２０の値を[書き込み距離計算部８２０の値（総合書き込み距離）／総合距離計算部８１０の値（総合距離）]との比率で表現するものであるから、最終目的地に到達するまでに、何回再書き込みを行えばよいかが判断され、ユーザはその再書き込みの回数を認識することにより最寄りのサービスエリア、パーキングエリア等の駐停車可能地域に入ることができ、再書き込みの準備ができる。また、前回の書き込みから再書き込みを行う地点に到達するまでに、どのくらいの走行距離があるかを表示し、ユーザはその再書き込みのタイミングを認識することができる。
【００８５】
本実施の形態２の車載ナビゲーション装置は、残り距離計算部８４０で計算された距離の値が、所定の距離の閾値以下になったとき、表示部８６の表示を点滅及び／または報知音を発生させるものである。したがって、表示部８６の表示に情報を付与しておけば、再書き込みのタイミングに応じて、最寄りのサービスエリア、パーキングエリア等の駐停車可能地域に入ることができる。
殊に、実施の形態２の車載ナビゲーション装置は、メモリ容量を距離を基準とする概念に置き換えているから、ユーザの使い勝手がよい。
【図面の簡単な説明】
【００８６】
【図１】図１は本発明の実施の形態１にかかる車載ナビゲーション装置を機能表現した全体構成を示すブロック図である。
【図２】図２は本発明の実施の形態１にかかる車載ナビゲーション装置のディスプレイによる表示状態を示す説明図である。
【図３】図３は本発明の実施の形態１にかかる車載ナビゲーション装置のコリドー機能による地図データの書き込みのフローチャートである。
【図４】図４は本発明の実施の形態１にかかる車載ナビゲーション装置のコリドー機能によって走行中のフローチャートである。
【図５】図５は本発明の実施の形態１にかかる車載ナビゲーション装置のコリドー機能による再書き込みのフローチャートである。
【図６】図６は本発明の実施の形態１にかかる車載ナビゲーション装置の地図データの書き込みを説明する概念図で、（ａ）は経路地図メモリの書き込み直前を示し、（ｂ）は地図データの書き込み直後を示す図である。
【図７】図７は本発明の実施の形態１にかかる車載ナビゲーション装置のコリドー機能で走行状態を説明する概念図で、（ａ）は走行開始直前を示し、（ｂ）は走行中の状態を示す図である。
【図８】図８は本発明の実施の形態１にかかる車載ナビゲーション装置の再書き込みを説明する概念図で、(ａ）は再書き込み直後を示し、（ｂ）はその後の走行中の状態を示す図である。
【図９】図９は本発明の実施の形態２にかかる車載ナビゲーション装置を機能表現した全体構成を示すブロック図である。
【符号の説明】
【００８７】
３      ディスプレイ
６      プレーヤ
８      地図データ処理部
１６    経路地図メモリ
３３    メモリ使用量表示
３３ａ  書き込み容量表示
３３ｂ  残り容量表示
３３ｃ  走行容量表示
３４    再書き込み表示
３４ａ  総合記憶容量
３４ｂ  書き込み積算量
８０    ルート探索部
８１    総合記憶容量計算部
８２    総合書き込み容量計算部
８３    書き込み容量計算部
８４    残り容量計算部
８５    表示用計算部
８６    表示部
【図１】
2010107469.tif 000003
【図２】
2010107469.tif 000004
【図３】
2010107469.tif 000005
【図４】
2010107469.tif 000006
【図５】
2010107469.tif 000007
【図６】
2010107469.tif 000008
【図７】
2010107469.tif 000009
【図８】
2010107469.tif 000010
【図９】
2010107469.tif 000011